(57)【要約】【課題】閉塞板を取り外すことによりフィルターを容易に取り外すことができる天井設置型空気調和装置を提供する。【解決手段】天井空間に設置されほぼ同寸法とされた背面吸い込み口と下面吸い込み口の２つの吸い込み口１４と、吹き出し口１５とを有する通風路、上記背面吸い込み口または下面吸い込み口に装着し得るようにされ、一端側に係止部６１と、この係止部に間隔を介して対向する挟持部６２とを設けた閉塞板６０、上記閉塞板が装着されていない吸い込み口に設けられ、端部が上記閉塞板の係止部と挟持部とで保持されたフィルター３、上記通風路内の背面吸い込み口または下面吸い込み口と吹き出し口との中間部に設けられた送風機７、この送風機の吹き出し口側に設けられた熱交換器８及びこの熱交換器の下方に設けられたドレンパン９を備えた構成とする。【選択図】　　　　図１
2004144310.tif 000002
【特許請求の範囲】
【請求項１】
天井空間に設置されほぼ同寸法とされた背面吸い込み口と下面吸い込み口の２つの吸い込み口と、吹き出し口とを有する通風路、上記背面吸い込み口または下面吸い込み口に装着し得るようにされ、一端側に係止部と、この係止部に間隔を介して対向する挟持部とを設けた閉塞板、上記閉塞板が装着されていない吸い込み口に設けられ、端部が上記閉塞板の係止部と挟持部とで保持されたフィルター、上記通風路内の背面吸い込み口または下面吸い込み口と吹き出し口との中間部に設けられた送風機、この送風機の吹き出し口側に設けられた熱交換器及びこの熱交換器の下方に設けられたドレンパンを備えた天井設置型空気調和装置。
【請求項２】
上記閉塞板の挟持部を弾性材で形成したことを特徴とする請求項１記載の天井設置型空気調和装置。
【請求項３】
上記閉塞板の係止部と挟持部との間隔は、上記フィルターの厚さより僅かに小さくしたことを特徴とする請求項２記載の天井設置型空気調和装置。
【請求項４】
上記閉塞板の係止部は、閉塞板の端部をＬ字状に折り曲げて形成したことを特徴とする請求項１〜請求項３のいずれか１項記載の天井設置型空気調和装置。
【発明の詳細な説明】
【０００１】
【発明の属する技術分野】
この発明は、天井設置型空気調和装置、特に吸い込み口を背面あるいは下面に付け替えることができる天井設置型空気調和装置に関するものである。
【０００２】
【従来の技術】
図４は、この種天井設置型空気調和装置の従来の構成を示す概略図で、（ａ）は吸い込み口が背面に設けられた場合、（ｂ）は同じく下面に設けられた場合を示す。これらの図において、１は天井空間に設置される空気調和装置の本体で、天板１１と、側板１２と、底板１３とから構成され、背面となる一端側（図において左端）または下面に設けられ、それぞれ同寸法とされた吸い込み口１４と、他端側（図において右端）に設けられた吹き出し口１５を有し、被空調空間（図示せず）からの空気１６と、熱交換して上記被空調空間に供給する空気１７の通風路を形成している。２は吸い込み口１４と被空調空間の吸い込み口とを接続するダクト、３は吸い込み口１４に設けられたフィルターで、吸い込み口の内側の上下にそれぞれネジ４で固定されたフィルターレール５Ａ、５Ｂに保持されている。
【０００３】
６はフィルターが設けられていない吸い込み口１４を閉塞する閉塞板、７は本体１の通風路内で背面または下面の吸い込み口１４と吹き出し口１５との間に設けられた送風機、７１は送風機７を固定する送風機台、８は通風路内で送風機７と吹き出し口１５との間に設けられた熱交換器、９は熱交換器８の下方に設けられ、底板１３に形成された孔１８を通して、熱交換器８によって凝縮されたドレン水を貯留するドレンパンである。
【０００４】
【発明が解決しようとする課題】
従来の天井設置型空気調和装置は以上のように構成されているため、図４（ａ）に示すように、背面に吸い込み口１４が設けられている場合には、被空調空間の空気１６がダクト２及び背面吸い込み口１４のフィルター３を介して通風路内に入り、熱交換器８によって熱交換され、熱交換後の空気１７が吹き出し口１５から被空調空間に吹き出される。図４（ｂ）の場合は、被空調空間の空気が下方から吸い込まれるが、その後は上記と同様である。この場合、フィルター３はフィルターレール５Ａ、５Ｂによって保持されているため、送風機７の風によって吸引されることはない。しかし、フィルター３の点検、洗浄等に際して閉塞板６を取り外しても、フィルター３はフィルターレール５Ａ、５Ｂによって保持されているため取り外すことができないという問題点があった。
この発明は、このような問題点を解消するためになされたもので、閉塞板を取り外すことによりフィルターを容易に取り外すことができる天井設置型空気調和装置を提供することを目的とする。
【０００５】
【課題を解決するための手段】
この発明に係る天井設置型空気調和装置は、天井空間に設置されほぼ同寸法とされた背面吸い込み口と下面吸い込み口の２つの吸い込み口と、吹き出し口とを有する通風路、上記背面吸い込み口または下面吸い込み口に装着し得るようにされ、一端側に係止部と、この係止部に間隔を介して対向する挟持部とを設けた閉塞板、上記閉塞板が装着されていない吸い込み口に設けられ、端部が上記閉塞板の係止部と挟持部とで保持されたフィルター、上記通風路内の背面吸い込み口または下面吸い込み口と吹き出し口との中間部に設けられた送風機、この送風機の吹き出し口側に設けられた熱交換器及びこの熱交換器の下方に設けられたドレンパンを備えたものである。
【０００６】
この発明に係る天井設置型空気調和装置は、また、上記閉塞板の挟持部を弾性材で形成したものである。
【０００７】
この発明に係る天井設置型空気調和装置は、また、上記閉塞板の係止部と挟持部との間隔を上記フィルターの厚さより僅かに小さくしたものである。
【０００８】
この発明に係る天井設置型空気調和装置は、また、上記閉塞板の係止部が閉塞板の端部をＬ字状に折り曲げることによって形成されたものである。
【０００９】
【発明の実施の形態】
実施の形態１．
以下、この発明の実施の形態１を図にもとづいて説明する。図１は、実施の形態１の構成を示す概略図で、吸い込み口が背面に設けられている場合を示し、（ａ）はフィルター及び閉塞板の装着状態、（ｂ）は閉塞板を取り外した状態を示す。
また、図２は、同じく吸い込み口が下面に設けられている場合を示し、（ａ）はフィルター及び閉塞板の装着状態、（ｂ）は閉塞板を取り外してフィルターを引き出した状態を示す。これらの図において、図４と同一または相当部分にはそれぞれ同一符号を付して説明を省略する。図４と異なる点は、閉塞板の一端側に係止部及びこれと間隔を介して対向する挟持部を設け、フィルターの端部を上記係止部と挟持部との間に挟み込んで保持するようにした点である。即ち、図１において、１１は本体１の天板で、吸い込み口１４に面する端部を図１（ｂ）に示す閉塞板６０の係止部６１と同様にＬ字状に折り曲げて係止部１１Ａとしている。
また、１１Ｂは係止部１１Ａに対してフィルター３の厚さより僅かに小さい間隔を介して天板１１に設けられた挟持部で、弾性材によって形成されている。
【００１０】
６０は下面の吸い込み口１４を閉塞する閉塞板で、図１（ｂ）に示すように、一端部をＬ字状に折り曲げて係止部６１を形成すると共に、係止部６１に対してフィルター３の厚さより僅かに小さい間隔を介して挟持部６２が設けられている。挟持部６２は弾性材によって形成されている。なお、係止部６１は折り曲げによる形成に限られるものではなく、閉塞板６０の先端部に適宜の寸法の板状部材を固着することによって形成してもよい。フィルター３は図１（ａ）に示すように、上端を天板１１の係止部１１Ａと挟持部１１Ｂとの溝に下方から押し込む形で挟持させ、フィルター３の下端に対しては下方から閉塞板６０の係止部６１と挟持部６２との溝を当接させ、係止部６１と挟持部６２との溝にフィルター３の下端を挿入させた状態で閉塞板６０を本体１の側板１２にネジ止めする。
フィルター３は上述のように、上下端がそれぞれ天板１１と閉塞板６０によって挟持されるため、送風機７の風によって吸引されることはない。
【００１１】
フィルター３の点検、洗浄等の際には、図１（ｂ）に示すように、閉塞板６０を取り外すと、閉塞板６０の係止部６１と挟持部６２がフィルター３の下端から外れるが、フィルター３の上端が天板１１の係止部１１Ａと弾性材の挟持部１１Ｂとによって挟持されているため、落下することなく保持されている。この状態でフィルター３を図１（ｂ）に矢印で示すように、下方に引くことにより容易に取り外すことができる。一方、吸い込み口１４を下面に付け替える場合には、図１（ａ）の閉塞板６０を取り外して背面の吸い込み口１４に装着する。
この場合、係止部６１と挟持部６２が設けられている端部を図２（ａ）に示すように、下側にして装着する。また、図２（ａ）に示されているように、送風機台７１の下端部が図において左方に折り曲げられていて、フィルター３の図において右端を下方から支持する支持部７２を構成すると共に、この支持部の右端に弾性材からなる挟持部７３が固定されている。
【００１２】
従って、フィルター３の装着は、図においてフィルター３の右端を送風機台７１の下端の支持部７２上に載せると共に、フィルター３の右端を挟持部７３に当接させる。また、閉塞板６０の係止部６１と挟持部６２との溝を図２において左方からフィルター３の左端に当接させてフィルター３を溝内に挿入する。
この状態で閉塞板６０を本体１の側板１２にネジ止めする。フィルター３の右端は支持部７２と挟持部７３と送風機台７１とで保持され、左端は閉塞板６０の係止部６１と挟持部６２とで挟持されるため、送風機７の風によって吸引されることはない。フィルター３のメンテナンスに際しては、図２（ｂ）に示すように、閉塞板６０を取り外すと、フィルター３はフリーになるため、矢印で示すように、図において左方に引き出すことにより、フィルター３を容易に取り外すことができる。
【００１３】
実施の形態２．
次に、この発明の実施の形態２を図にもとづいて説明する。図３は、実施の形態２の構成を示す概略図で、吸い込み口が背面に設けられている場合を示し、（ａ）は平面図、（ｂ）は側面図である。この図において、図１と同一または相当部分にはそれぞれ同一符号を付して説明を省略する。
実施の形態２は、実施の形態１を例えば寒冷地で実施する場合のもので、被空調空間の温度が低い時、設定温度に近づけるまでの時間を短縮する目的で電気ヒータが使用されるが、この電気ヒータには温度制御のためのサーモと安全確保のためのヒューズが備えられているため、ヒューズ切れ等に対応するヒータのメンテナンスを容易にするためのものである。
【００１４】
図３において、１０は送風機７と熱交換器８との間に設けられた電気ヒータで、その取付部１０１を本体１の側板１２に固定されたＬ字状の金具１０２にネジ１０３によって固定したものである。電気ヒータ１０を下側からメンテナンスする場合、通常は、ドレンパン９を取り外さなければならず、そのためにはドレンパン９に接続されたドレン配管等も取り外す必要があるため、非常に手間と時間のかかるものであったが、この実施の形態によれば、閉塞板６０を取り外し、送風機台７１に固定された送風機７を図３（ｂ）に矢印で示すように取り外すことにより、本体１の内部に作業者が入り、電気ヒータ１０を取り外すことなく電気ヒータ１０のヒューズの取り替え等を行なうことができる。閉塞板６０と送風機７の取り外しは、ドレンパン９の取り外しのように配管の取り外しを伴なわないため短時間で作業を完了させることができる。
【００１５】
【発明の効果】
この発明に係る天井設置型空気調和装置は、天井空間に設置されほぼ同寸法とされた背面吸い込み口と下面吸い込み口の２つの吸い込み口と、吹き出し口とを有する通風路、上記背面吸い込み口または下面吸い込み口に装着し得るようにされ、一端側に係止部と、この係止部に間隔を介して対向する挟持部とを設けた閉塞板、上記閉塞板が装着されていない吸い込み口に設けられ、端部が上記閉塞板の係止部と挟持部とで保持されたフィルター、上記通風路内の背面吸い込み口または下面吸い込み口と吹き出し口との中間部に設けられた送風機、この送風機の吹き出し口側に設けられた熱交換器及びこの熱交換器の下方に設けられたドレンパンを備えたものであるため、閉塞板を取り外すことにより容易にフィルターを取り外すことができ、据え付けに際しての制約事項が少なくなりメンテナンス性を向上することができる。
【００１６】
この発明に係る天井設置型空気調和装置は、また、上記閉塞板の挟持部を弾性材で形成したものであるため、フィルターが背面吸い込み口に設けられている場合でも、下面閉塞板の取り外し時にフィルターが落下することがなく、メンテナンスが容易となる。
【図面の簡単な説明】
【図１】この発明の実施の形態１の構成を示す概略図で、吸い込み口が背面に設けられている場合を示す。
【図２】実施の形態１において、吸い込み口が下面に設けられている場合を示す。
【図３】この発明の実施の形態２の構成を示す概略図で、吸い込み口が背面に設けられている場合を示し、（ａ）は平面図、（ｂ）は側面図である。
【図４】従来の天井設置型空気調和装置の構成を示す概略図で、（ａ）は吸い込み口が背面に設けられている場合、（ｂ）は同じく下面に設けられている場合を示す。
【符号の説明】
１　本体、　　３　フィルター、　　７　送風機、　　８　熱交換器、　　９ドレンパン、　　１１　天板、　　１１Ａ　係止部、　　１１Ｂ　挟持部、　１４　吸い込み口、　　１５　吹き出し口、　　６０　閉塞板、　　６１　係止部、　　６２　挟持部。
【図１】
2004144310.tif 000003
【図２】
2004144310.tif 000004
【図３】
2004144310.tif 000005
【図４】
2004144310.tif 000006